(57)【要約】【課題】取得済みの画像データを室内環境に適合した画像データに変更することを可能にする。【解決手段】情報処理装置２００は、室内環境を撮影した撮影画像の色相、彩度及び明度のうちの少なくとも一つを含む属性情報を検出する属性情報検出部２１３と、画像データによる画像についての前記属性情報を、属性情報検出部２１３が検出した属性情報から予め定められた許容範囲内の値に補正した補正後画像を生成する補正後画像生成部２１４と、表示部２２２に撮影画像を表示させるとともに当該撮影画像中の予め定められた領域に補正後画像を合成して表示させる合成表示制御部２１５とを備える。【選択図】図２
2019186702.tif 000002
【特許請求の範囲】
【請求項１】
表示部と、
画像データを予め記憶する画像データ記憶部と、
前記画像データを用いて画像形成された記録媒体が配置される室内環境を撮影する撮影部と、
前記撮影部によって撮影された前記室内環境の撮影データを記憶する撮影データ記憶部と、
前記撮影データ記憶部に記憶された前記撮影データを用いて、当該撮影データによる撮影画像の色相、彩度及び明度のうちの少なくとも一つを含む属性情報を検出する属性情報検出部と、
前記画像データによる画像についての色相、彩度及び明度のうちの少なくとも一つを含む属性情報を、前記属性情報検出部が検出した前記属性情報から予め定められた許容範囲内の値に補正した補正後画像を生成する補正後画像生成部と、
前記撮影データ記憶部に記憶された前記撮影データによる撮影画像を前記表示部に表示させるとともに、前記表示部に表示される前記撮影画像中の予め定められた領域に、前記補正後画像生成部が生成した前記補正後画像を合成して表示させる合成表示制御部と、
前記表示部に表示された前記補正後画像を出力することについての出力指示を受け付ける出力指示受付部と、
前記出力指示受付部が前記出力指示を受け付けると、前記補正後画像を示す補正後画像データを画像形成装置に出力する出力部と、を備える情報処理装置。
【請求項２】
前記撮影データ記憶部に記憶された前記撮影データによる撮影画像中に、前記予め定められた領域としての配置領域を設定する配置領域設定部を備え、
前記属性情報検出部は、前記配置領域設定部により前記配置領域が設定された前記撮影画像の当該配置領域以外の領域であって当該配置領域の周囲に位置する周囲領域を少なくとも含む対象領域についての色相、彩度及び明度のうちの少なくとも一つを含む属性情報を検出する請求項１に記載の情報処理装置。
【請求項３】
前記属性情報検出部は、前記属性情報として、前記撮影画像の前記対象領域における全画素又は当該全画素のうちの一部の複数画素についての明度の平均値を検出し、
前記補正後画像生成部は、前記画像データによる画像の明度を、前記属性情報検出部が検出した前記明度の平均値を含む予め定められた許容範囲内の値に補正した補正後画像を生成する請求項１又は請求項２に記載の情報処理装置。
【請求項４】
前記属性情報検出部は、前記属性情報として、前記撮影画像の前記対象領域における全画素又は当該全画素のうちの一部の複数画素についての彩度の平均値を検出し、
前記補正後画像生成部は、前記画像データによる画像の彩度を、前記属性情報検出部が検出した前記彩度の平均値を含む予め定められた許容範囲内の値に補正した補正後画像を生成する請求項１又は請求項２に記載の情報処理装置。
【請求項５】
前記属性情報検出部は、前記属性情報として、前記撮影画像の前記対象領域における全画素又は当該全画素のうちの一部の複数画素についての色相を検出し、
前記補正後画像生成部は、前記画像データによる画像の色相を、前記属性情報検出部が検出した前記色相と同系色又は反対色に補正した補正後画像を生成する請求項１又は請求項２に記載の情報処理装置。
【請求項６】
前記画像データ記憶部に記憶された前記画像データの画像について顔検出処理を行う顔検出処理部と、
前記顔検出処理部が前記画像中に顔が含まれることを検出すると、当該画像が肖像画であると判定する肖像画判定部と、
前記補正後画像生成部は、前記肖像画判定部にて前記画像が肖像画であると判定された場合、前記画像データによる画像の色相についての補正は行わず、前記画像データによる画像の明度と彩度との少なくとも一方について補正した補正後画像を生成する請求項１乃至請求項４のいずれか１つに記載の情報処理装置。
【請求項７】
請求項１乃至請求項６のいずれかに記載の情報処理装置と、
前記情報処理装置から出力された前記補正後画像データを用いて記録媒体に画像形成する画像形成部を有する画像形成装置と、を備える画像形成システム。
【請求項８】
撮影された室内環境の撮影データを用いて、当該撮影データによる撮影画像の色相、彩度及び明度のうちの少なくとも一つを含む属性情報を検出する属性情報検出ステップと、
前記画像データによる画像についての色相、彩度及び明度のうちの少なくとも一つを含む属性情報を、前記属性情報検出部が検出した前記属性情報から予め定められた許容範囲内の値に補正した補正後画像を生成する補正後画像生成ステップと、
前記撮影データによる撮影画像を前記表示部に表示させるとともに、前記表示部に表示される前記撮影画像中の予め定められた領域に、前記補正後画像生成部が生成した前記補正後画像を合成して表示させる合成表示制御ステップと、
前記表示部に表示された前記補正後画像を出力することについての出力指示を受け付ける出力指示受付ステップと、
前記出力指示受付ステップにて前記出力指示を受け付けると、前記補正後画像データを示す補正後画像データを画像形成装置に出力する出力ステップと、を備える画像形成方法。
【発明の詳細な説明】
【技術分野】
【０００１】
本発明は、情報処理装置、画像形成システムおよび画像形成方法に関し、特に、室内環境に適合した印刷物を生成するための技術に関する。
【背景技術】
【０００２】
特許文献１に記載の画像プリントシステムでは、画像形成装置が、コンピューターから受信した画像データを用いて記録媒体に画像形成し、画像形成された記録媒体上にゲル状塗料自動塗布装置がゲル状塗料を塗布することにより、重厚な絵画風の画像記録媒体を作製することが開示されている。
【先行技術文献】
【特許文献】
【０００３】
【特許文献１】特開２０００−１５３６４５号公報
【発明の概要】
【発明が解決しようとする課題】
【０００４】
しかしながら、特許文献１では、ゲル状塗料を塗布することで絵画風の画像記録媒体を作製するだけであり、この画像記録媒体が配置される室内環境が当該画像記録媒体に合わない場合には、室内環境を画像記録媒体に合うように変更しなければならず、例えば室内の照明を変えたり、室内の壁紙を張り変えたりするなど、室内環境の設定に非常に手間がかかるという問題がある。
【０００５】
本発明は、上記の事情に鑑みなされたものであり、室内環境の設定を行う必要がなく、取得済みの画像データを室内環境に適合した画像データに変更することを可能にすることを目的とする。
【課題を解決するための手段】
【０００６】
本発明の一局面にかかる情報処理装置は、表示部と、画像データを予め記憶する画像データ記憶部と、前記画像データを用いて画像形成された記録媒体が配置される室内環境を撮影する撮影部と、前記撮影部によって撮影された前記室内環境の撮影データを記憶する撮影データ記憶部と、前記撮影データ記憶部に記憶された前記撮影データを用いて、当該撮影データによる撮影画像の色相、彩度及び明度のうちの少なくとも一つを含む属性情報を検出する属性情報検出部と、前記画像データによる画像についての色相、彩度及び明度のうちの少なくとも一つを含む属性情報を、前記属性情報検出部が検出した前記属性情報から予め定められた許容範囲内の値に補正した補正後画像を生成する補正後画像生成部と、前記撮影データ記憶部に記憶された前記撮影データによる撮影画像を前記表示部に表示させるとともに、前記表示部に表示される前記撮影画像中の予め定められた領域に、前記補正後画像生成部が生成した前記補正後画像を合成して表示させる合成表示制御部と、前記表示部に表示された前記補正後画像を出力することについての出力指示を受け付ける出力指示受付部と、前記出力指示受付部が前記出力指示を受け付けると、前記補正後画像を示す補正後画像データを画像形成装置に出力する出力部と、を備えるものである。
【０００７】
また、本発明の別の一局面にかかる画像形成システムは、上記情報処理装置と、前記情報処理装置から出力された前記補正後画像データを用いて記録媒体に画像形成する画像形成部を有する画像形成装置と、を備えるものである。
【０００８】
また、本発明の別の一局面にかかる画像形成方法は、撮影された室内環境の撮影データを用いて、当該撮影データによる撮影画像の色相、彩度及び明度のうちの少なくとも一つを含む属性情報を検出する属性情報検出ステップと、前記画像データによる画像についての色相、彩度及び明度のうちの少なくとも一つを含む属性情報を、前記属性情報検出部が検出した前記属性情報から予め定められた許容範囲内の値に補正した補正後画像を生成する補正後画像生成ステップと、前記撮影データによる撮影画像を前記表示部に表示させるとともに、前記表示部に表示される前記撮影画像中の予め定められた領域に、前記補正後画像生成部が生成した前記補正後画像を合成して表示させる合成表示制御ステップと、前記表示部に表示された前記補正後画像を出力することについての出力指示を受け付ける出力指示受付ステップと、前記出力指示受付ステップにて前記出力指示を受け付けると、前記補正後画像データを示す補正後画像データを画像形成装置に出力する出力ステップと、を備えるものである。
【発明の効果】
【０００９】
本発明によれば、室内環境の設定を行う必要がなく、取得済みの画像データを室内環境に適合した画像データに変更することができる。
【図面の簡単な説明】
【００１０】
【図１】本発明の第１実施形態にかかる画像形成システムを構成する情報処理装置及び画像形成装置の外観を示す図である。
【図２】第１実施形態の画像形成システムの構成を示すブロック図である。
【図３】第１実施形態の画像形成装置の主要内部構成例を示す機能ブロック図である。
【図４】（Ａ）は撮影データの検出結果と許容範囲の一例を示す図、（Ｂ）は画像データ及び補正後画像データの内容の一例を示す図である。
【図５】第１実施形態の合成表示処理の一例を示すフローチャートである。
【図６】（Ａ）は撮影画像の一例を示す図、（Ｂ）は撮影画像中に配置領域が設定された例を示す図である。
【図７】（Ａ）は第１実施形態における画像データの画像の一例を示す図、（Ｂ）は補正後画像データの画像の一例を示す図、（Ｃ）は合成表示の一例を示す図である。
【図８】変形例の合成表示処理の一例を示すフローチャートである。
【図９】第２実施形態の画像形成システムの構成を示すブロック図である。
【図１０】第２実施形態の合成表示処理の一例を示すフローチャートである。
【図１１】（Ａ）は第２実施形態における画像データの画像の一例を示す図、（Ｂ）は補正後画像データの画像の一例を示す図、（Ｃ）は合成表示の一例を示す図である。
【発明を実施するための形態】
【００１１】
以下、本発明の第１実施形態の情報処理装置および画像形成システムについて図面を参照して詳細に説明する。
【００１２】
図１は、本発明の第１実施形態にかかる画像形成システムを構成する情報処理装置及び画像形成装置の外観を示す図である。図２は、第１実施形態の画像形成システムの構成を示すブロック図である。
【００１３】
第１実施形態の画像形成システム３００は、情報処理装置２００と、画像形成装置１とを備える。情報処理装置２００には、合成表示アプリケーションがインストールされている。この合成表示アプリケーションは、取得済みの画像を、室内環境を撮影した撮影画像の色味に合うように補正した補正後画像を生成し、当該補正後画像を撮影画像中に合成表示するプログラムである。情報処理装置２００は、後述する制御ユニット２１０が合成表示アプリケーションを実行することにより、取得済みの画像を室内環境に適した画像に補正した補正後画像データを生成し、補正後画像データを画像形成装置１に出力することが可能となる。
【００１４】
情報処理装置２００は、例えば、タブレット型コンピューターなどの携帯端末装置であって、制御ユニット２１０と、表示部２２２と、タッチパネル２２３と、通信部２２４と、撮影部２２６と、記憶部２３０とを備えている。これらの構成要素は、互いにバスを通じてデータ又は信号の送受信が可能とされている。
【００１５】
表示部２２２は、液晶ディスプレイ（ＬＣＤ：Liquid Crystal Display）や有機ＥＬ（ＯＬＥＤ：Organic Light-Emitting Diode）などから構成される。
【００１６】
タッチパネル２２３は、所謂抵抗膜方式や静電容量方式等のタッチパネルである。タッチパネル２２３は、表示部２２２の画面に配置され、表示部２２２の画面に対する指などの接触をその接触位置と共に検知する。タッチパネル２２３は、指などの接触を検知すると、その接触位置の座標を示す検知信号を制御ユニット２１０の制御部２１１などに出力する。従って、タッチパネル２２３は、表示部２２２の画面に対するユーザー操作が入力される操作部としての役割を果たす。また、タッチパネル２２３は、表示部２２２に表示された後述する補正後画像Ｐ３（図７（Ｂ）参照）を出力することについての出力指示を受け付ける。なお、タッチパネル２２３は、特許請求の範囲における出力指示受付部の一例となる。
【００１７】
また、情報処理装置２００は、ユーザー操作が入力される操作部として、上記のタッチパネル２２３に加えてハードキーを備えてもよい。
【００１８】
通信部２２４は、不図示のＬＡＮチップなどの通信モジュールを備える通信インターフェイスである。通信部２２４は、画像形成装置１との通信機能を有する。なお、通信部２２４は、特許請求の範囲における出力部の一例となる。
【００１９】
撮影部２２６は、例えばカメラである。撮影部２２６は、例えば、ユーザーによる撮影操作により、取得済みの画像データを用いて画像形成された記録媒体が配置される室内環境を撮影するために使用される。
【００２０】
記憶部２３０は、大容量のＳＳＤ（Solid State Drive）、ＨＤＤ（Hard Disk Drive）などからなり、各種のデータやプログラムを記憶している。また、記憶部２３０は、後述する画像データ記憶部２３１、撮影データ記憶部２３２を備える。
【００２１】
制御ユニット２１０は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット２１０は、上記のＲＯＭ又は記憶部２３０に記憶された制御プログラムが上記プロセッサーで実行されることにより、制御部２１１、通信制御部２１２、属性情報検出部２１３、補正後画像生成部２１４、合成表示制御部２１５、配置領域設定部２１６、表示制御部２１７として機能する。なお、制御ユニット２１０の上記の各構成要素は、前述の制御プログラムに基づく動作によらず、それぞれハード回路により構成されてもよい。
【００２２】
制御部２１１は、情報処理装置２００の全体的な動作制御を司る。また、制御部２１１は、表示部２２２、タッチパネル２２３、通信部２２４、記憶部２３０および撮影部２２６などと接続されており、上記各構成要素の動作制御や、各構成要素との間での信号またはデータの送受信を行う。通信制御部２１２は、通信部２２４の通信動作を制御する機能を有する。表示制御部２１７は、制御部２１１による制御の下、表示部２２２の表示動作を制御する。
【００２３】
また、制御部２１１は、タッチパネル２２３から出力される検知信号に基づき、ユーザーにより入力されたユーザー操作を特定する。例えば、ユーザー操作としては、タッチ操作（タップ操作）、ダブルタップ操作、ピンチ操作などがある。そして、制御部２１１は、特定したユーザー操作に応じた制御を行う。例えば、図１に示す表示部２２２の画面に表示された合成表示アプリケーションを示すアイコン（画像表示）２２５に対して、ユーザーがダブルタップ操作を行うと、タッチパネル２２３によるタッチ機能により、その接触位置の座標を示し且つダブルタップ操作を示す検出信号が制御部２１１に出力され、制御部２１１は、かかる検出信号に基づいて、合成表示アプリケーションを起動する。この合成表示アプリケーションに従って操作等を行うことにより、取得済みの画像データによる画像を室内環境に適した画像に補正した補正後画像データを生成し、補正後画像データを画像形成装置１に出力することが可能となっている。詳細については後述する。
【００２４】
画像データ記憶部２３１は、室内に飾る印刷物（画像形成された記録媒体）についての画像データを予め記憶している。例えば、画像データ記憶部２３１には、画像データとして、後述する図７（Ａ）に示すような風景画の画像Ｐ２についての画像データが記憶されている。なお、画像データとしては、風景画以外の抽象画、建築画、写真、デザイン画、掛け軸、後述する第２実施形態の場合の肖像画などのように各種の画像のデータであってもよい。
【００２５】
撮影データ記憶部２３２は、撮影部２２６によって撮影された室内環境の撮影データを記憶する。例えば、撮影データ記憶部２３２は、撮影部２２６によって例えば室内環境が撮影されると、後述する図６（Ａ）に示すように室内環境の撮影画像Ｐ１についての撮影データを記憶する。
【００２６】
属性情報検出部２１３は、撮影データ記憶部２３２に記憶された撮影データを用いて、当該撮影データによる撮影画像Ｐ１の色相、彩度及び明度のうちの少なくとも一つを含む属性情報を検出する。例えば、属性情報検出部２１３は、撮影データによる撮影画像Ｐ１のうち予め定めた範囲（例えば、後述する図６（Ｂ）に示す対象領域Ａ２）内の複数の画素について画素単位で色情報（色調及び階調）を取得することにより、画素ごとに色相、彩度及び明度を特定することができる。例えば、図６（Ｂ）に示す対象領域Ａ２における複数の画素についての明度の平均値（あるいは占有率の高い明度）を、撮影画像Ｐ１の明度の属性情報として検出する。また、図６（Ｂ）に示す対象領域Ａ２における複数の画素についての彩度の平均値（あるいは占有率の高い彩度）を、撮影画像Ｐ１の彩度の属性情報として検出する。また、図６（Ｂ）に示す対象領域Ａ２における複数の画素についての平均的な色（あるいは占有率の高い色）を、撮影画像Ｐ１の色相の属性情報として検出する。
【００２７】
第１実施形態では、図４（Ａ）に示すように、明度、彩度及び色相は、それぞれ１１段階（０〜１０）、１６段階（Ｎ〜１５）及び１２段階（１２色）に区分けされている。明度 (value)は、色の明るさや暗さを表すものであり、真黒(明度が「０」)から真白(明度が「１０」)までの１１段階で表現される。また、彩度 (Saturation)は、色の鮮やかさ（純度）を表すものであり、無彩色（彩度が「０」＝Ｎ）から鮮やかになるにしたがい彩度が高くなり、彩度が「０」〜「１５」までの１６段階で表現される。色相 (hue)は色味を表すものであり、 １２色（赤、赤みの橙、黄みの橙、黄、黄緑、緑、 青緑、緑みの青、青、青紫、紫、赤紫）の色相環とし、１２段階で表現される。
【００２８】
補正後画像生成部２１４は、画像データによる画像Ｐ２についての属性情報を、属性情報検出部２１３が検出した撮影画像Ｐ１の属性情報から予め定められた許容範囲内の値に補正した補正後画像Ｐ３を生成する。例えば、補正後画像生成部２１４は、後述する図７（Ａ）に示す画像データによる画像Ｐ２についての図４（Ｂ）に示す属性情報を、属性情報検出部２１３が検出した撮影画像Ｐ１の図４（Ａ）に示す属性情報から予め定められた許容範囲内の値に補正した図７（Ｂ）に示す補正後画像Ｐ３を生成する。
【００２９】
配置領域設定部２１６は、撮影データ記憶部２３２に記憶された撮影データによる撮影画像Ｐ１中に、予め定められた領域としての配置領域Ａ１を設定する。例えば、配置領域設定部２１６は、ユーザーが表示部２２２の画面に対してピンチ操作を行うことにより指定された矩形領域を、配置領域Ａ１として設定する。なお、ピンチ操作にかかる矩形領域を配置領域Ａ１とすることについては、後述する。
【００３０】
属性情報検出部２１３は、配置領域設定部２１６により配置領域Ａ１が設定された撮影画像Ｐ１の当該配置領域Ａ１以外の領域であって当該配置領域Ａ１の周囲に位置する周囲領域を少なくとも含む対象領域Ａ２についての色相、彩度及び明度のうちの少なくとも一つを含む属性情報を検出する。
【００３１】
属性情報検出部２１３は、属性情報として、撮影画像Ｐ１の対象領域Ａ２における全画素又は当該全画素のうちの一部の複数画素についての明度の平均値を検出する。また、属性情報検出部２１３は、属性情報として、撮影画像Ｐ１の対象領域Ａ２における全画素又は当該全画素のうちの一部の複数画素についての彩度の平均値を検出する。また、属性情報検出部は、属性情報として、撮影画像Ｐ１の対象領域Ａ２における全画素又は当該全画素のうちの一部の複数画素についての平均的な色相を検出する。
【００３２】
補正後画像生成部２１４は、画像データによる画像Ｐ２の明度（図４（Ｂ）参照）を、属性情報検出部２１３が検出した明度の平均値を含む予め定められた図４（Ａ）に示す許容範囲内の値（図４（Ｂ）参照）に補正した補正後画像Ｐ３を生成する。これにより、取得済みの画像Ｐ２の明度を室内環境の明度に適合した補正後画像Ｐ３に変更することができる。
【００３３】
また、補正後画像生成部２１４は、画像データによる画像Ｐ２の彩度（図４（Ｂ）参照）を、属性情報検出部２１３が検出した彩度の平均値を含む予め定められた図４（Ａ）に示す許容範囲内の値（図４（Ｂ）参照）に補正した補正後画像Ｐ３を生成する。これにより、取得済みの画像Ｐ２の彩度を室内環境の彩度に適合した補正後画像Ｐ３に変更することができる。
【００３４】
また、補正後画像生成部２１４は、画像データによる画像Ｐ２の色相（図４（Ｂ）参照）を、属性情報検出部２１３が検出した図４（Ａ）に示す色相と同系色に補正した補正後画像Ｐ３（図４（Ｂ）参照）を生成する。これにより、取得済みの画像Ｐ２の色を室内環境と同系色に適合させた補正後画像Ｐ３に変更することができる。
【００３５】
合成表示制御部２１５は、撮影データ記憶部２３２に記憶された撮影データによる撮影画像Ｐ１を表示部２２２に表示させるとともに、表示部２２２に表示される撮影画像Ｐ１中の予め定められた領域に、補正後画像生成部２１４が生成した補正後画像Ｐ３を合成して表示させる。
【００３６】
タッチパネル２２３は、表示部２２２に表示された補正後画像Ｐ３を出力することについての出力指示を受け付ける。
【００３７】
通信部２２４は、タッチパネル２２３が出力指示を受け付けると、補正後画像Ｐ３を示す補正後画像データを画像形成装置１に出力する。
【００３８】
次に、画像形成装置１について図面を参照して説明する。画像形成装置１は、例えば、コピー機能、プリンター機能、スキャナー機能、及びファクシミリ機能のような複数の機能を兼ね備えた複合機である。
【００３９】
図１に示すように、画像形成装置１は、装置本体２と、装置本体２の上方に配置された画像読取部５と、画像読取部５と装置本体２との間に設けられた連結部３とから構成される。
【００４０】
画像形成装置１の外郭を構成する筐体７には、画像形成装置１の様々な機能を実現するための複数の構成機器が収容されている。例えば、筐体７には、画像読取部５、画像形成部１２（図３）、定着部１３（図３）、給紙部３０等が収容されている。
【００４１】
画像読取部５は、原稿搬送部６と、原稿搬送部６により搬送されてくる原稿又は不図示のコンタクトガラスに載置された原稿を光学的に読み取るスキャナーとを有するＡＤＦ（Auto Document Feeder）である。画像形成装置１が画像読取動作を行う場合、画像読取部５は、原稿搬送部６により搬送されてくる原稿又は不図示のコンタクトガラスに載置された原稿を１枚ずつ読み取ることで、原稿の画像を取得する。
【００４２】
画像形成部１２は、感光体ドラム、帯電装置、露光装置、現像装置、及び転写装置を備え、画像読取部５によって読み取られた画像や、ネットワーク接続された情報処理装置２００や他のファクシミリ装置から送られてくる印刷データを用いて、給紙部３０から供給される記録紙に画像を形成（印刷）する。画像形成済みの記録紙は定着部１３による定着処理を受けた後、排出トレイ４に排出される。
【００４３】
操作部４７は、例えば、当該画像形成装置１により可能な機能の実行を指示するためのスタートキーやユーザー（操作者）の操作を確定させる決定キー（エンターキー）、更に、数値入力を行うための数値入力キー等を備える。
【００４４】
また、操作部４７は、ユーザーへの操作案内等を表示する表示部４７３を備えている。表示部４７３はタッチパネルになっており、ユーザーは表示部４７３に表示される画像やアイコンに触れることで画像形成装置１を操作することができる。
【００４５】
次に、画像形成装置１の構成を説明する。図３は画像形成装置１の主要内部構成例を示す機能ブロック図である。
【００４６】
画像形成装置１は、制御ユニット１０を備える。制御ユニット１０は、プロセッサー、ＲＡＭ(Random Access Memory）、及びＲＯＭ（Read Only Memory）などから構成される。プロセッサーは、ＣＰＵ（Central Processing Unit）、ＭＰＵ(Micro-Processing Unit）、又はＡＳＩＣ（Application Specific Integrated Circuit）等である。
【００４７】
画像読取部５は、制御ユニット１０による制御の下、光照射部及びＣＣＤセンサー等を有する読取機構を備える。画像読取部５は、光照射部により原稿を照射し、その反射光をＣＣＤセンサーで受光することにより、原稿から画像を読み取る。
【００４８】
画像処理部３１は、画像読取部５で読み取られた原稿画像を、必要に応じて画像処理する。例えば、画像処理部３１は、画像読取部５により読み取られた画像が画像形成部１２により画像形成された後の品質を向上させるために、シェーディング補正等の予め定められた画像処理を行う。
【００４９】
画像メモリー３２は、画像読取部５による読取で得られた原稿画像を一時的に記憶したり、画像形成部１２による画像形成の対象となる画像を一時的に保存したりする領域である。
【００５０】
画像形成部１２は、画像読取部５で読み取られた原稿画像、ネットワーク接続された情報処理装置２００から受信した印刷データ等の画像形成を行う。第１実施形態では、画像形成部１２は、例えば、情報処理装置２００から受信した印刷データとしての補正後画像データを用いて、図７（Ｂ）に示す補正後画像Ｐ３を記録媒体に画像形成する。
【００５１】
定着部１３は、画像形成部１２の画像形成処理により表面に画像（トナー像）が形成された記録紙を加熱し、熱圧着により当該画像を記録しに定着させる定着処理を行う。
【００５２】
操作部４７は、画像形成装置１が実行可能な各種動作及び処理についてユーザーからの指示を受け付ける。操作部４７は、ユーザーへの操作案内等を表示する表示部４７３を備えている。
【００５３】
ファクシミリ通信部７１は、図略の符号化／復号化部、変復調部及びＮＣＵ（Network Control Unit）を備え、公衆電話回線網を用いてのファクシミリの送受信を行うものである。
【００５４】
ネットワークインターフェイス部９１は、ＬＡＮボード等の通信モジュールから構成され、当該ネットワークインターフェイス部９１に接続されたＬＡＮ等を介して、情報処理装置２００と種々のデータの送受信を行う。特に、ネットワークインターフェイス部９１は、情報処理装置２００からの印刷データ、例えば補正後画像データを受信する。
【００５５】
ＨＤＤ（Hard Disk Drive）９２は、各種のデータやプログラム、画像読取部５によって読み取られた原稿画像等を記憶する大容量の記憶装置である。
【００５６】
駆動モーター７０は、画像形成部１２や定着部１３等における各回転部材及び搬送ローラー対等に回転駆動力を付与する駆動源である。
【００５７】
制御ユニット１０は、制御部１００を備える。制御ユニット１０は、ＨＤＤ９２に記憶された制御プログラムが上記プロセッサーで実行されることにより、制御部１００として機能する。なお、制御ユニット１０の上記の各構成要素は、前述の制御プログラムに基づく動作によらず、それぞれハード回路により構成されてもよい。
【００５８】
制御部１００は、画像形成装置１の全体的な動作制御を司る。また、制御部１００は、画像読取部５、原稿搬送部６、画像処理部３１、画像メモリー３２、画像形成部１２、定着部１３、操作部４７、表示部４７３、ファクシミリ通信部７１、ネットワークインターフェイス部９１、及びＨＤＤ（ハードディスクドライブ）９２等と接続され、これら各部の駆動制御を行う。
【００５９】
次に、第１実施形態の情報処理装置２００において、取得済みの画像Ｐ２を室内環境の撮影画像Ｐ１の色味に合うように補正して、当該撮影画像Ｐ１中に合成表示する合成表示処理を、図５に示すフローチャートなどを参照して説明する。
【００６０】
まず、情報処理装置２００において、図１に示す表示部２２２の合成表示アプリケーションを示すアイコン２２５がユーザーによりダブルタップ操作がされると、この操作がタッチパネル２２３によるタッチ機能により検出され、制御部２１１は、タッチパネル２２３からの検出信号に基づいて合成表示アプリケーションを起動する（Ｓ１１）。
【００６１】
表示制御部２１７は、制御部２１１が実行する合成表示アプリケーションの処理に従い、ユーザーに対して、室内環境の撮影を促す画面表示（例えば、「印刷物を配置する室内を撮影してください」などの表示）を表示部２２２に表示させる。情報処理装置２００が撮影部２２６を起動させ、撮影可能状態となる。例えば、室内において印刷物（画像形成された記録媒体）を飾る壁面を少なくとも含む範囲を撮影する。
【００６２】
撮影部２２６は、例えば、ユーザーによる撮影操作に従い、室内環境を撮影する（Ｓ１２）。撮影部２２６にて室内環境が撮影されると、撮影データ記憶部２３２は、例えば図６（Ａ）に示すように室内環境の撮影画像Ｐ１についての撮影データを記憶する（Ｓ１３）。そして、表示制御部２２９は、撮影データ記憶部２３２に記憶された撮影データによる撮影画像Ｐ１を、表示部２２２に表示させる。
【００６３】
配置領域設定部２１６は、表示部２２２に表示された撮影画像Ｐ１中に、予め定められた領域としての配置領域Ａ１を設定する（Ｓ１４）。例えば、ユーザーが表示部２２２の画面上でピンチ操作（ここでは、表示部２２２の画面を２本の指で触れた状態でその両方の指を広げるピンチアウト操作）を行うと、タッチパネル２２３によるタッチ機能により、それぞれの接触位置の座標を示し且つピンチ操作を示す検出信号が制御部２１１に出力され、制御部２１１は、かかる検出信号に基づいてピンチアウト操作にかかる矩形領域を特定する。配置領域設定部２１６は、制御部２１１が特定した矩形領域を配置領域Ａ１として設定する（Ｓ１４）。
【００６４】
属性情報検出部２１３は、配置領域設定部２１６により配置領域Ａ１が設定された撮影画像Ｐ１の当該配置領域Ａ１以外の領域であって当該配置領域Ａ１の周囲に位置する周囲領域を少なくとも含む対象領域Ａ２についての色相、彩度及び明度のうちの少なくとも一つを含む属性情報を検出する（Ｓ１５：属性情報検出ステップ）。具体的には、属性情報検出部２１３は、属性情報として、撮影画像Ｐ１の対象領域Ａ２における全画素又は当該全画素のうちの一部の複数画素についての明度の平均値、彩度の平均値及び色相を検出する。
【００６５】
補正後画像生成部２１４は、画像データによる画像Ｐ２の明度、彩度及び色相の少なくとも一つについて、属性情報検出部２１３が検出した撮影画像Ｐ１の属性情報から予め定められた許容範囲内の値に補正した補正後画像Ｐ３を生成する（Ｓ１６：補正後画像生成ステップ）。
【００６６】
具体的には、補正後画像生成部２１４は、画像データによる画像Ｐ２の明度（図４（Ｂ）では明度「９」）を、属性情報検出部２１３が検出した明度の平均値（図４（Ａ）では明度「７」）を含む予め定められた許容範囲（図４（Ａ）では明度「６〜８」）内の値（図４（Ｂ）では明度「７」）に補正し、更に、画像データによる画像Ｐ２の彩度（図４（Ｂ）では彩度「１２」）を、属性情報検出部２１３が検出した彩度の平均値（図４（Ａ）では彩度「１０」）を含む予め定められた許容範囲（図４（Ａ）では彩度「９〜１１」）内の値（図４（Ｂ）では彩度「１０」）に補正した補正後画像Ｐ３を生成する。また、補正後画像生成部２１４は、画像データによる画像Ｐ２の色相（図４（Ｂ）では色相「黄みの橙」）が、属性情報検出部２１３が検出した色相（図４（Ａ）では色相「黄」）と同系色（図４（Ａ）では同系色「黄緑、黄、黄みの橙」）であるので、色相については補正していない。
【００６７】
合成表示制御部２１５は、撮影データ記憶部２３２に記憶された撮影データによる撮影画像Ｐ１を表示部２２２に表示させるとともに、表示部２２２に表示される撮影画像Ｐ１中の予め定められた領域に、補正後画像生成部２１４が生成した補正後画像Ｐ３を合成して表示させる（Ｓ１７：合成表示制御ステップ）。例えば合成表示制御部２１５は、図７（Ｃ）に示すように、撮影画像Ｐ１中に補正後画像Ｐ３を合成して表示させる。
【００６８】
タッチパネル２２３は、表示部２２２に表示された補正後画像Ｐ３を出力することについての出力指示を受け付ける（Ｓ１８：出力指示受付ステップ）。ユーザーが、図７（Ｃ）に示す補正後画像Ｐ３でよいと判断し、ユーザーがＯＫキーＫ１をタッチ操作し、タッチパネル２２３（出力指示受付部）がＯＫキーＫ１へのタッチ操作を検出した場合、つまり出力指示あり（Ｓ１８「Ｙｅｓ」）には、通信部２２４は、図７（Ｃ）に示す補正後画像Ｐ３の補正後画像データを画像形成装置１に送信（出力）し（Ｓ１９：出力ステップ）、本処理を終了する。
【００６９】
画像形成装置１は、ネットワークインターフェイス部９１が受信した補正後画像データ（印刷データ）を記録媒体に画像形成（印刷）し、補正後画像Ｐ３にかかる印刷物を出力する。このように、第１実施形態の画像形成システム３００によれば、室内環境の設定を行う必要がなく、取得済みの画像データを室内環境に適合した画像データに変更することができ、補正後画像Ｐ３にかかる印刷物を製造することができる。
【００７０】
一方、図５に示すＳ１８において、ユーザーが、図７（Ｃ）に示す補正後画像Ｐ３でよくないと判断し、ユーザーがキャンセルキーＫ２をタッチ操作し、タッチパネル２２３（出力指示受付部）がキャンセルキーＫ２へのタッチ操作を検出した場合、つまり出力指示なしの場合（Ｓ１８「Ｎｏ」）には、制御部２１１は、本処理を終了する。
【００７１】
なお、第１実施形態では、出力指示なしの場合に本処理を終了しているが、図８に示す変形例のように、新たな補正後画像Ｐ３を生成するようにしてもよい。図８は、変形例の合成表示処理の一例を示すフローチャートである。図８に示すＳ１８において、出力指示なしの場合（Ｓ１８「Ｎｏ」）には、制御部２１１は、ユーザーからの変更指示の有無を判定する（Ｓ２０）。ユーザーが変更指示キーをタッチ操作し、タッチパネル２２３（出力指示受付部）が変更指示キーへのタッチ操作を検出した場合、つまり変更指示ありの場合（Ｓ２０「Ｙｅｓ」）には、補正後画像生成部２１４は、新たな補正後画像Ｐ３を生成する（Ｓ２１）。例えば、補正後画像生成部２１４は、画像データによる画像Ｐ２の属性情報を、属性情報検出部２１３が検出した撮影画像Ｐ１の属性情報から予め定められた許容範囲内の値であって、図４（Ｂ）に示す補正後画像データの内容とは異なる内容に補正した新たな補正後画像Ｐ３を生成するようにすればよい。図４（Ｂ）に示す補正後画像データの明度「７」及び彩度「１０」の少なくとも一方を１段階上げた（明度「８」又は彩度「１１」に変更する）又は下げた（明度「６」又は彩度「９」に変更する）補正後画像データに変更したり、色相を「黄みの橙」から「黄」又は「黄緑」に変更したりすればよい。
【００７２】
このように第１実施形態では、属性情報検出部２１３は、室内環境を撮影した撮影画像Ｐ１の色相、彩度及び明度のうちの少なくとも一つを含む属性情報を検出する。補正後画像生成部２１４は、画像データによる画像Ｐ２についての属性情報を、属性情報検出部２１３が検出した撮影画像Ｐ１の属性情報から予め定められた許容範囲内の値に補正した補正後画像Ｐ３を生成する。合成表示制御部２１５は、表示部２２２に撮影画像Ｐ１と、当該撮影画像Ｐ１中の予め定められた領域に、補正後画像Ｐ３を合成して表示させる。そして、補正後画像Ｐ３を出力することについての出力指示をタッチパネル２２３（出力指示受付部）が受け付けると、通信部２２４が補正後画像データを画像形成装置１に出力する。これにより、室内環境の設定を行う必要がなく、取得済みの画像データを室内環境に適合した画像データに変更することができる。すなわち、取得済みの画像Ｐ２を室内環境の撮影画像Ｐ１の色味に合うように変更できる。また、画像形成装置１は、情報処理装置２００から出力された補正後画像データを用いて、室内環境に適合した補正後画像Ｐ３にかかる印刷物を製造することができる。
【００７３】
また、配置領域設定部２１６は、撮影画像Ｐ１中に配置領域Ａ１を設定し、属性情報検出部２１３は、撮影画像Ｐ１の配置領域Ａ１以外の領域であって当該配置領域Ａ１の周囲に位置する周囲領域を少なくとも含む対象領域Ａ２についての色相、彩度及び明度のうちの少なくとも一つを含む属性情報を検出する。これにより、撮影画像Ｐ１の全領域について属性情報を検出する必要がなく、配置領域Ａ１の外側に位置しかつ当該配置領域Ａ１を取り囲む領域である対象領域Ａ２について属性情報を検出するようにしているので、属性情報の検出についての処理負担を低減することができる。このため、合成表示処理を迅速に実行することができる。
【００７４】
次に、第２実施形態に係る情報処理装置２００について、図９及び図１０を用いて説明する。図９は、第２実施形態の画像形成システムの構成を示すブロック図である。図１０は、第２実施形態の合成表示処理の一例を示すフローチャートである。
【００７５】
第２実施形態では、顔検出処理部２１８と肖像画判定部２１９とを備えている点が、前述の第１実施形態とは異なるため、顔検出処理部２１８と肖像画判定部２１９とについて詳細に説明する。なお、図２に示した構成と同じ構成については同符号を付して説明を略する。
【００７６】
第２実施形態の画像データ記憶部２３１には、画像データとして、後述する図１１（Ａ）に示すような肖像画についての画像データが記憶されている。第２実施形態の特徴の一つとしては、図１１（Ａ）に示す肖像画を室内環境に適合した画像に変更することにある。
【００７７】
制御ユニット２１０は、上記のＲＯＭ又は記憶部２３０に記憶された制御プログラムが上記プロセッサーで実行されることにより、更に、顔検出処理部２１８、肖像画判定部２１９として機能する。
【００７８】
顔検出処理部２１８は、画像データ記憶部２３１に記憶された画像データの画像Ｐ２について既知の顔検出処理を行う。顔検出処理は、例えば、記憶部２３０に、人の顔の特徴部分（目や鼻、口など）を抽出したテンプレートを予め記憶しておき、画像データ記憶部２３１に記憶された画像データの画像Ｐ２に対してテンプレートを走査し、テンプレートとのマッチング（相関）が高い領域を人の顔の存在領域と判定し、画像Ｐ２中に顔が含まれると判定する処理である。
【００７９】
肖像画判定部２１９は、顔検出処理部２１８が画像Ｐ２中に顔が含まれることを検出すると、当該画像Ｐ２が肖像画であると判定する。
【００８０】
次に、第２実施形態の情報処理装置２００において、取得済みの画像Ｐ２が肖像画である場合には色相以外について補正した補正後画像Ｐ３を撮影画像Ｐ１に合成表示する合成表示処理を、図１０に示すフローチャートなどを参照して説明する。なお、図１０に示すフローチャートは、Ｓ３１及びＳ３２を除いて、本実施形態の図５に示すフローチャートと同じであるため、図１０に示すＳ３１及びＳ３２について説明する。
【００８１】
顔検出処理部２１８は、画像データ記憶部２３１に記憶された画像データの画像Ｐ２について既知の顔検出処理を行う。肖像画判定部２１９は、顔検出処理部２１８が画像Ｐ２中に顔が含まれることを検出すると、当該画像Ｐ２が肖像画であると判定する（Ｓ３１）。
【００８２】
当該画像Ｐ２が肖像画であると判定された場合（Ｓ３１「Ｙｅｓ」）には、色相補正を禁止する（Ｓ３２）。例えば、色相補正を禁止する状態であることを示す色相補正禁止フラグを「１」にする。なお、色相補正禁止フラグが「０」の場合には、色相補正が許可された状態である。
【００８３】
補正後画像生成部２１４は、色相補正禁止フラグが「１」の場合には、画像データによる画像Ｐ２については、その色相の補正を禁止し、かつ、明度及び彩度の少なくとも一つについて、属性情報検出部２１３が検出した撮影画像Ｐ１の属性情報から予め定められた許容範囲内の値に補正した補正後画像Ｐ３を生成する（Ｓ１６）。また、補正後画像生成部２１４は、色相補正禁止フラグが「０」の場合には、画像データによる画像Ｐ２の明度、彩度及び色相の少なくとも一つについて、属性情報検出部２１３が検出した撮影画像Ｐ１の属性情報から予め定められた許容範囲内の値に補正した補正後画像Ｐ３を生成する（Ｓ１６）。
【００８４】
このように第２実施形態では、補正後画像生成部２１４は、肖像画判定部２１９にて画像Ｐ２が肖像画であると判定された場合、画像データによる画像Ｐ２の色相についての補正は行わず、画像データによる画像Ｐ２の明度と彩度との少なくとも一方について補正した補正後画像Ｐ３を生成する。このように、肖像画については、明度と彩度との少なくとも一方について補正を行うだけであり、色の補正を行わないので、肖像画の印象を著しく崩してしまうこと（例えば、本来の肖像画とは別人の肖像画となるようなこと）を防止でき、かつ、室内環境に適した画像とすることができる。
【００８５】
また、上記第１実施形態では、補正後画像生成部２１４は、画像データによる画像Ｐ２の色相を、属性情報検出部２１３が検出した色相と同系色に補正した補正後画像Ｐ３を生成しているが、属性情報検出部２１３が検出した色相と反対色に補正した補正後画像Ｐ３を生成するようにしてもよい。このように反対色に補正した場合には、撮影画像Ｐ１中において補正後画像Ｐ３を際立たせることができる。すなわち、補正後画像データを用いて画像形成された記録媒体が室内環境に配置されると、当該記録媒体が映えて見えるようにすることができる。
【００８６】
尚、上記実施形態で説明した情報処理装置２００による画像形成方法は、プログラムとして提供することができる。このプログラムは、コンピューターにより読み取り可能な非一時的な記録媒体、例えば、ハードディスク、ＣＤ−ＲＯＭ、ＤＶＤ−ＲＯＭ、半導体メモリーなどに記録される。この場合、当該プログラムを記録したコンピューターにより読み取り可能な非一時的な記録媒体が、本発明の一実施形態となる。
【符号の説明】
【００８７】
１    画像形成装置
１２    画像形成部
２００    情報処理装置
２１０    制御ユニット
２１１    制御部
２１３    属性情報検出部
２１４    補正後画像生成部
２１５    合成表示制御部
２１６    配置領域設定部
２１８    顔検出処理部
２１９    肖像画判定部
２２２    表示部
２２３    タッチパネル（出力指示受付部）
２２６    撮影部
２３１    画像データ記憶部
２３２    撮影データ記憶部
３００    画像形成システム
【図１】
2019186702.tif 000003
【図２】
2019186702.tif 000004
【図３】
2019186702.tif 000005
【図４】
2019186702.tif 000006
【図５】
2019186702.tif 000007
【図６】
2019186702.tif 000008
【図７】
2019186702.tif 000009
【図８】
2019186702.tif 000010
【図９】
2019186702.tif 000011
【図１０】
2019186702.tif 000012
【図１１】
2019186702.tif 000013